(57)【要約】【課題】送風ファンからの選別風を効率よく吹かせることにより、吸引排塵ファンを設けることなく、安価かつ軽量化し、しかもきれいな選別を行えるようにした脱穀機を提供する。【解決手段】扱室１０で脱穀した脱穀物を、揺動選別体２１と送風ファン５０により選別し、選別された排塵物を前記送風ファン５０の空気流により排塵口３３から排出するようにした脱穀機１において、前記揺動選別体２１は、無孔移送板２３と、チャフシーブ２５とを有し、前記送風ファン５０から前記チャフシーブ２５を通った空気流を前記排塵口３３に導く排塵室３２を備え、前記無孔移送板２３は、その後端が、前記送風ファン５０の吹出口５１と前記排塵室３２の天板３１の前端とを結ぶ直線Ｃと略々交差する位置に配置される。【選択図】図１
2008228649.tif 000002
【特許請求の範囲】
【請求項１】
扱室で脱穀した脱穀物を、前記扱室の下方に設けた揺動選別体と送風ファンにより選別し、選別された排塵物を前記送風ファンの空気流により直接排塵口から排出してなる、脱穀機において、
前記揺動選別体は、前記扱室下方に配置される無孔移送板と、該無孔移送板の後端から前記排塵口側である後方に向けて延びているチャフシーブと、を有し、
前記送風ファンから前記チャフシーブを通った空気流を前記排塵口に導く排塵室を備え、
前記無孔移送板は、前記扱室の後端下方より更に後方に延びて、その後端が、前記送風ファンの吹出口と前記排塵室の天板の前端とを結ぶ直線の近傍位置まで延設される、
ことを特徴とする脱穀機。
【請求項２】
前記揺動選別体は、前記チャフシーブの下方に配置されたグレンシーブを有し、
前記無孔移送板の後端と前記グレンシーブの前端に亘って風向板を設け、該風向板が、前記直線に略々沿うように配置されてなる、
請求項１記載の脱穀機。
【発明の詳細な説明】
【技術分野】
【０００１】
本発明は、コンバイン等の収穫機に搭載され、扱室で脱穀された脱穀物を、扱室の下方に配置された揺動選別体の揺動と送風ファンからの選別風により選別する脱穀機に関する。
【背景技術】
【０００２】
扱室内で回転駆動される扱胴で穀稈の穂先部の穀粒を脱穀すると共に、その下方の受網を漏下した脱穀物を、揺動選別体の揺動と、その下方に配置された送風（唐箕）ファンからの選別風により一番物（穀粒）、二番物（穀粒と藁屑等の混合物）、排塵物（藁屑等）に選別し、前記一番物を穀粒タンクに揚上搬送し、前記二番物を前記揺動選別体上に還元し、前記選別風に巻き上げられた排塵物を吸引排塵ファンで吸引して排塵口から機外に放出するようにした脱穀機が知られている（例えば、特許文献１参照）。
【０００３】
【特許文献１】特開２００１−９５３６０号公報（第３頁、図１）
【発明の開示】
【発明が解決しようとする課題】
【０００４】
前記脱穀機においては、扱室で脱穀された脱穀物の一部は受網を漏下して揺動選別体の無孔移送板上に落下する。また、前記受網に引っ掛かった脱穀物は、前記フィードチェーンで搬送される穀稈に押されて前記扱室の後部に移送され、前記扱室の後部からまとまった状態でチャフシーブ上に落下する。このため、前記チャフシーブを構成するフィン間の選別風の通風量が低下して、排塵物が前記一番物内に混入しやすくなる。
【０００５】
また、前記扱室の後方に形成された開口部（四番口）から選別風が吹出すため、選別風と共に排塵室に流入する藁屑の量が減少する。このため、排塵口に吸引排塵ファンを設け、該吸引排塵ファンで選別風と藁屑とを吸引して強制的に排塵室へ導く必要がある。吸引排塵ファンを設置するため、脱穀機が高価になるだけでなくその重量も大きくなる。
【０００６】
前記の事情に鑑み、本発明は、送風ファンからの選別風を効率よく吹かせることにより、吸引排塵ファンを設けることなく、安価かつ軽量化し、しかもきれいな選別が行えるようにした脱穀機を提供することを目的とする。
【課題を解決するための手段】
【０００７】
前記目的を達成するため、請求項１に係る本発明は、扱室（１０）で脱穀した脱穀物を、前記扱室（１０）の下方に設けた揺動選別体（２１）と送風ファン（５０）により選別し、選別された排塵物を前記送風ファン（５０）の空気流により直接排塵口（３３）から排出してなる、脱穀機（１）において、
前記揺動選別体（２１）は、前記扱室（１０）下方に配置される無孔移送板（２３）と、該無孔移送板（２３）の後端から前記排塵口（３３）側である後方に向けて延びているチャフシーブ（２５）と、を有し、
前記送風ファン（５０）から前記チャフシーブ（２５）を通った空気流を前記排塵口（３３）に導く排塵室（３２）を備え、
前記無孔移送板（２３）は、前記扱室（１０）の後端下方より更に後方に延びて、その後端が、前記送風ファン（５０）の吹出口（５１）と前記排塵室（３２）の天板（３１）の前端とを結ぶ直線（Ｃ）の近傍位置まで延設される、
ことを特徴とする脱穀機にある。
【０００８】
請求項２に係る本発明は、前記揺動選別体（２１）は、前記チャフシーブ（２５）の下方に配置されたグレンシーブ（２７）を有し、
前記無孔移送板（２３）の後端と前記グレンシーブ（２７）の前端に亘って風向板（３５）を設け、該風向板（３５）が、前記直線（Ｃ）に略々沿うように配置されてなる、
請求項１記載の脱穀機にある。
【０００９】
なお、前記した括弧内の符号等は、図面を参照するためのものであって、本発明を何ら限定するものではない。
【発明の効果】
【００１０】
請求項１に係る本発明によると、脱穀機の揺動選別体は、扱室及び送風ファンの上下方向間側である前方側に配置される無孔移送板と、該無孔移送板の後端から排塵口側である後方に向けて延びているチャフシーブとを有し、前記送風ファンから前記チャフシーブを通った空気流を前記排塵口に導く排塵室を備え、前記無孔移送板は、前記扱室の後端下方より更に後方に延びて、その後端が、前記送風ファンの吹出口と前記排塵室の天板の前端とを結ぶ直線と略々交差する位置に配置されるように構成したので、扱室から一度に大量の藁屑等がチャフシーブ上に落下することがなく、かつ四番口からの選別風の吹出しを防止して選別風を前記送風ファンの吹出口から前記排塵口まで効率よく吹かすことができ、前記チャフシーブ全域に選別風があたり一番物への藁屑の混入を防止して精度の高い選別を行うことができる。また、吸引排塵ファンを用いることなく選別できるので、脱穀機を安価に、かつ軽量化することができる。
【００１１】
請求項２に係る本発明によると、前記揺動選別体は、前記チャフシーブの下方に配置されたグレンシーブを有し、前記無孔移送板の後端と前記グレンシーブの前端に亘って風向板を設け、該風向板が、前記直線に略々沿うように配置されているので、前記排塵室に向けて前記送風ファンからの選別風を更に効率よく吹かせることができ、より精度の高い選別を行うことができる。
【発明を実施するための最良の形態】
【００１２】
以下、図面に基づき本発明の実施の形態を説明する。図１乃至図３は、本発明の実施の形態を示すもので、図１は、脱穀機の側面断面図、図２は、図１のＡ−Ａ断面図、図３は、図１のＢ−Ｂ断面図である。
【００１３】
図１乃至図２に示すように、脱穀機１は、扱室１０と、選別室２０と、排藁処理装置６０を備えている。前記扱室１０には、扱胴１１が回転自在に配置されている。前記扱胴１１は、円筒状の胴本体１２に複数の扱歯（並歯、補強歯、整梳歯等）１３が植設されている。また、前記扱室１０には、フィードチェーン（図示せず）によって移送される穀稈の搬入口１０ａと搬出口１０ｂが形成されている。前記扱室１０の下部には、扱室１０と選別室２０を隔てる受網１５が配置され、穀稈から脱穀された脱穀物を漏下させるようになっている。
【００１４】
前記選別室２０には、前記扱室１０の下方から後方に延びる揺動選別体２１と、前記扱室１０の下方に配置され後方に向けて吹出し口５１が形成された送風ファン（唐箕ファン）５０と、前記揺動選別体２１と前記送風ファン５０からの選別風とにより選別された一番物（穀粒）を受入れる一番樋４１と、該一番樋４１に収容された一番物を揚穀筒（図示せず）を介してグレンタンク（図示せず）に向けて搬送する一番ラセン４２と、二番物を受入れる二番樋４３と、該二番樋４３に収容された二番物を二番還元筒（図示せず）を介して前記揺動選別体２１上に還流させる二番ラセン４５とを備えている。
【００１５】
前記揺動選別体２１は、前記脱穀機１の側板２間に所定の間隔で揺動自在に配置された一対の揺動選別体側板２２と、波形に形成され、前記扱室１０の下方から後方に向けて延びるように前記揺動選別体側板２２の間に固定された無孔移送板（揺動流板）２３と、該無孔移送板２３の後端から排塵口側である後方に向けて前後方向に所定の間隔で前記揺動選別体側板２２の間に揺動自在に支持された複数のフィンで構成されたチャフシーブ２５とを備えている。
【００１６】
また、前記揺動選別体２１には、前記該チャフシーブ２５の後端に前記排塵口側である後方に向けて延びるように左右方向に所定の間隔で配置された複数の板で構成されたストローラック２６と、前記チャフシーブ２５の下方に配置され、該チャフシーブ２５を漏下した脱穀物から穀粒を漏下させるグレンシーブ２７と、前記チャフシーブ２５を漏下した穀粒を前記一番樋４１に導くガイド板（一番流板）２８と、前記ストローラック２６を漏下した脱穀物を前記二番樋４３に導くガイド板３０とを備えている。
【００１７】
前記チャフシーブ２５及びストローラック２６の上方には、天板３１で覆われた排塵室３２が形成され、その後端に形成された排塵口３３が形成されている。前記排塵室３２の高さを確保することにより選別風の流れを良くすることができる。前記無孔移送板２３の後端２３ａは、前記送風ファン５０の吹出し口５１の開口端５１ａと排塵室３２を形成する前記天板３１の前端３１ａとを結ぶ直線Ｃ（図１では、破線で表示）と略々交差する位置に配置される。なお、本実施の形態では、前記揺動選別体が揺動しても前記無孔移送板２３の後端位置２３ａが前記直線Ｃより後方に位置するように構成されている。また、前記排塵口３３は、前記送風ファン５０の吹出し口５１より大きくなるように形成され、選別風のとおりを良くするようになっている。
【００１８】
また、前記無孔移送板２３の後端部２３ａと前記グレンシーブ２７の先端部２７ａに亘って風向板３５が前記直線Ｃに略々沿うように配置されている。前記ガイド板２８と前記風向板３５の間に位置するように風向板３４が配置され、前記風向板３５と風向板３４により前記送風ファン５０からの選別風を強い状態で前記チャフシーブ２５の前部２５ａに確実に当て、選別効率を向上させるようになっている。
【００１９】
前記揺動選別体側板２２には、前記脱穀機１の側板２との隙間を塞ぎ、選別風の漏洩を防止するための塞ぎプレート３６が配置されている。前記ガイド板２８には、前記脱穀機１の側枠２の幅に合せて形成され、選別風の漏洩を防止するための塞ぎプレート３７が固定されている。また、前記ガイド板３０の先端部３０ａには、前記脱穀機１の側枠２の幅に合せて形成され、選別風の漏洩を防止するための塞ぎプレート３８が固定されている。さらに、前記ガイド板３０の後端部３０ｂには、前記脱穀機１の側枠２の幅に合せて形成され、選別風の漏洩を防止するための塞ぎプレート４０が固定されている。前記各塞ぎプレート３６、３７、３８、４０は、例えば、ゴム等の可撓性を有する材料で形成され、前記脱穀機１の側板２と接して、選別風の漏洩を防止できるようになっている。
【００２０】
前記脱穀機１の前記側板２、２には、前記送風ファン５０の吸入口となる孔２ａ、２ａが形成され、前記送風ファン５０のファンケーシング５０ａが前記孔２ａ、２ａと連通するように前記送風ファン５０が設置されている。即ち、前記側板２、２は、前記ファンケーシング５０ａの一部を兼ねている。前記側板２、２の外側面には、前記孔２ａ、２ａの下側（圧力が高くなる位置）に半円形のプレート５２が固定され、前記送風ファン５０の吸入口（孔２ａ、２ａ）からの空気の抜けを防止して、前記吹出し口５１から吹出す選別風を十分に確保することができるようになっている。
【００２１】
前記排藁処理装置６０は、各々回転軸に所定の間隔で複数の切断刃を備えたカッタ６１、６２を有し、上方から投入される排藁を所定の長さに切断して圃場に排出するようになっている。なお、前記天板３１が排藁処理装置６０側へ突出することで、切断された藁屑が前記二番樋４３に飛び込むのを防止することができる。
【００２２】
前記の構成で、前記扱胴１１を回転させ、前記揺動選別体２１を揺動させると共に、前記送風ファン５０を作動させる。すると、前記送風ファン５０の吹出し口５１から吹出された選別風は、前記ガイド板２８及び前記風向板３５の間を通り前記チャフシーブ２５のフィンの間と前記ストローラック２６のフィンの間を抜けて前記排塵室３２へ流入し前記排塵口３３から排出される。このとき、前記塞ぎプレート３６、３７、３８、４０で、前記脱穀機１の側板２と前記揺動選別体２１の揺動選別体側板２２との隙間が塞がれているので、選別風の漏れを無くし前記送風ファン５０から吹出された選別風を効率よく流すことができる。
【００２３】
フィードチェーンで前記扱室１０の搬入口１０ａから穀稈を搬入する。前記扱歯１３によって穀稈から脱穀された脱穀物の一部は、前記受網１５を漏下して前記無孔移送板２３上に落下する。また、前記受網１５上に滞留した脱穀物は、穀稈に押されて前記扱室１０の搬出口１０ｂから前記無孔移送板２３上に落下する。
【００２４】
前記揺動選別体２１の無孔移送板２３上に落下した脱穀物は、前記無孔移送板２３の揺動により穀粒と藁屑がその比重差で上下に選別されると共に、前記無孔移送板２３の幅方向に略々均一な厚さに均されながら、前記チャフシーブ２５上に送り込まれる。
【００２５】
前記チャフシーブ２５上に送り込まれた脱穀物のうち、比較的重い穀粒はチャフシーブ２５のフィンの間を漏下して前記グレンシーブ２７上に落下し、該グレンシーブ２７を漏下して前記一番樋４１に収容される。また、比較的軽い藁屑は、前記チャフシーブ２５を通り抜けた選別風に乗って前記排塵室３２に送り込まれ、前記排塵口３３から選別風と共に機外に排出される。前記チャフシーブ２５から前記グレンシーブ２７上に漏下した藁屑は、選別風に巻き上げられて前記ストローラック２６から前記排塵室３２へ送られる。
【００２６】
前記チャフシーブ２５で漏下しきれず、前記ストローラック２６に送り込まれた藁屑交じりの脱穀物は、該ストローラック２６を漏下する間に選別風により更に藁屑が吹き飛ばされた状態で前記二番樋４３に収容され、前記二番ラセン４５で前記無孔移送板２３上に還流され、再び選別が繰返される。
【００２７】
前記のように、無孔移送板２３を後方へ延設することにより、扱室１０からの藁屑等が一度にまとまって（ドサット）チャフシーブ２５上に落下することがなく、かつ前記扱室１０の後部に開口する四番口からの選別風の吹出しを防止して、前記送風ファン５０からの選別風を前記グレンシーブ２７、前記チャフシーブ２５から前記排塵室３２を通して前記排塵口３３へ効率よく吹かすことができる。従って、吸引排塵ファンを設けることなく、前記チャフシーブ２５全域に選別風が当たり、前記一番樋４１に藁屑が混入するのを防止して、きれいな選別を行うことができる。
【００２８】
また、吸引排塵ファンを用いることなく藁屑等の排塵物の排出を行うことができるので、脱穀機を安価に、かつ軽量化することができる。
【００２９】
また、前記無孔移送板２３の後端部２３ａと前記グレンシーブ２７の先端部２７ａとの間に風向板３５を設けることにより、前記送風ファン５０から吹出される選別風を整流させ前記排塵室３２に向けて効率よく吹かせることができるので、より一層きれいな選別を行わせることができる。
【図面の簡単な説明】
【００３０】
【図１】脱穀機の側面断面図である。
【図２】図１のＡ−Ａ断面図である。
【図３】図１のＢ−Ｂ断面図である。
【符号の説明】
【００３１】
１  脱穀機
１０  扱室
２１  揺動選別体
２３  無孔移送板
２５  チャフシーブ
２７  グレンシーブ
３１  天板
３２  排塵室
３３  排塵口
３５  風向板
５０  送風ファン
Ｃ  直線
【図１】
2008228649.tif 000003
【図２】
2008228649.tif 000004
【図３】
2008228649.tif 000005